(57)【要約】【課題】籾摺装置の籾摺部に設ける籾摺ロールの交換作業において、ゴム製のロール筒を駆動軸に取り付けているボルトやナットを籾摺ケース内に落すことがあってもそのボルトやナットが風選装置に侵入しないようにすること。【解決手段】籾摺部１６の下部に風選装置１７を設けた籾摺り選別装置において、籾摺ケース６０の籾摺ロール６１，６２下部に風選装置１７への摺出米通路を遮断する送出しシャッタ６４を設けたことを特徴とする籾摺り選別装置とする。【選択図】図３
2019181341.tif 000002
【特許請求の範囲】
【請求項１】
籾摺部（１６）の下部に風選装置（１７）を設けた籾摺り選別装置において、
籾摺ケース（６０）の籾摺ロール（６１，６２）下部に前記風選装置（１７）への摺出米通路を遮断する送出しシャッタ（６４）を設けたことを特徴とする籾摺り選別装置。
【請求項２】
前記摺出米通路を下方に向かって下り傾斜した排出シュート（６６，６７）とし、その最小径部に送出しシャッタ（６４）を設けたことを特徴とする請求項１に記載の籾摺り選別装置。
【請求項３】
前記籾摺ロール（６１，６２）の軸端側に前記籾摺ケース（６０）を開くロール室扉（６３）を設け、前記籾摺ロール（６１，６２）の周側から前記籾摺ケース（６０）に前記送出しシャッタ（６４）を差し込んでスライド開閉可能に設けたことを特徴とする請求項１又は請求項２に記載の籾摺り選別装置。
【請求項４】
前記籾摺ロール（６１，６２）の軸端側に前記籾摺ケース（６０）を開くロール室扉（６３）を設け、
前記送出しシャッタ（６４）の開閉駆動手段（６５）を設け、該開閉駆動手段（６５）をロール室扉（６３）の開動作に連動して閉作動させることを特徴とする請求項１から請求項３のいずれか１項に記載の籾摺り選別装置。
【請求項５】
前記籾摺ロール（６１，６２）の軸端側から前記籾摺ケース（６０）内に侵入して塵埃を吸引する吸引ノズル（７８）を設け、適宜に吸引作用させることを特徴とする請求項１から請求項４のいずれか１項に記載の籾摺り選別装置。
【発明の詳細な説明】
【技術分野】
【０００１】
本発明は、籾摺部で籾を摺り選別部で籾殻を取り除いて玄米を収穫する籾摺り選別装置に関する。
【背景技術】
【０００２】
籾摺り選別装置は、例えば、特許文献１（特許第６０３６６０７号公報）に記載の籾摺プラントで説明されているように、原籾ホッパに供給した籾を籾摺部で摺って籾殻を分離し、下部の風選装置で籾殻を取り除いて玄米を取り出す装置である。
【０００３】
そして、籾摺部では一対のゴム製の籾摺ロールの間に籾を供給して籾摺りを行なっているが、籾摺ロールの長時間の使用によって外周が摩耗して、ロール間隔を調整しているが、やがて新品と交換しなければならない。
【先行技術文献】
【特許文献】
【０００４】
【特許文献１】特許第６０３６６０７号公報
【発明の概要】
【発明が解決しようとする課題】
【０００５】
籾摺部の籾摺ロールは、籾摺ケース内の一対の駆動軸に取り付けているので、籾摺ロールの交換作業は籾摺ケース内で駆動軸に取り付けているゴム製のロール筒をボルトやナットを緩めて取り外し新品と交換する作業になるが、狭い籾摺ケース内での作業になるために、外したボルトやナットを籾摺ケース内に落とすことがある。すると、籾摺ケースの下部に風選装置があるために、その落としたボルトやナットが風選装置内に落下して取り出す作業が面倒になる。
【０００６】
本発明は、上記従来の課題に鑑みて、籾摺装置の籾摺部に設ける籾摺ロールの交換作業において、ゴム製のロール筒を駆動軸に取り付けているボルトやナットを籾摺ケース内に落すことがあってもそのボルトやナットが風選装置に侵入しないようにすることを目的とする。
【課題を解決するための手段】
【０００７】
上記従来の課題は、次の技術手段により解決される。
【０００８】
請求項１の発明は、籾摺部１６の下部に風選装置１７を設けた籾摺り選別装置において、
籾摺ケース６０の籾摺ロール６１，６２下部に前記風選装置１７への摺出米通路を遮断する送出しシャッタ６４を設けたことを特徴とする籾摺り選別装置とする。
【０００９】
請求項２の発明は、摺出米通路を下方に向かって下り傾斜した排出シュート６６，６７とし、その最小径部に送出しシャッタ６４を設けたことを特徴とする請求項１に記載の籾摺り選別装置とする。
【００１０】
請求項３の発明は、籾摺ロール６１，６２の軸端側に籾摺ケース６０を開くロール室扉６３を設け、籾摺ロール６１，６２の周側から籾摺ケース６０に送出しシャッタ６４を差し込んでスライド開閉可能に設けたことを特徴とする請求項１又は請求項２に記載の籾摺り選別装置とする。
【００１１】
請求項４の発明は、前記籾摺ロール６１，６２の軸端側に前記籾摺ケース６０を開くロール室扉６３を設け、送出しシャッタ６４の開閉駆動手段６５を設け、該開閉駆動手段６５をロール室扉６３の開動作に連動して閉作動させることを特徴とする請求項１から請求項３のいずれか１項に記載の籾摺り選別装置とする。
【００１２】
請求項５の発明は、籾摺ロール６１，６２の軸端側から籾摺ケース６０内に侵入して塵埃を吸引する吸引ノズル７８を設け、適宜に吸引作用させることを特徴とする請求項１から請求項４のいずれか１項に記載の籾摺り選別装置とする。
【発明の効果】
【００１３】
請求項１の発明で、籾摺ロール６１，６２の交換作業時に籾摺ケース６０の摺出米通路に設ける送出しシャッタ６４を閉じることで、例えボルトやナットを落下することがあっても、送出しシャッタ６４が風選装置１７へ落下混入することを防いで、ボルトやナットの取り出しが容易に行える。
【００１４】
請求項２の発明で、請求項1の効果に加えて、摺出米通路の最小径部に送出しシャッタ６４を設けたので、摺出米通路を閉じる送出しシャッタ６４を小さく出来ると共に、落下するボルトやナットが排出シュート６６，６７で送出しシャッタ６４上に誘導されるので、見つけ易く迅速に取り出せる。
【００１５】
請求項３の発明で、請求項1又は請求項２の効果に加えて、籾摺ロール６１，６２の軸端側のロール室扉６３を開いて籾摺ロール６１，６２の交換作業を行うが、送出しシャッタ６４を籾摺ロール６１，６２の周側から籾摺ケース６０に差し込むので、籾摺ロール６１，６２の交換作業で送出しシャッタ６４を差し込む作業が容易である。
【００１６】
請求項４の発明で、請求項１から請求項３のいずれか１項の効果に加えて、ロール室扉６３を開くと開閉駆動手段６５で送出しシャッタ６４が摺出米通路を閉じるので、閉じ忘れてボルトやナットが風選装置１７に落下することが無い。
【００１７】
請求項５の発明で、請求項１から請求項４のいずれか１項の効果に加えて、吸引ノズル７８から籾摺ケース６０内の塵埃を吸引して籾摺ロール６１，６２に堆積する塵埃を除去して快適な籾摺りを継続できる。
【図面の簡単な説明】
【００１８】
【図１】籾摺プラントの正面図である。
【図２】（Ａ）その風選装置の平面図と、（Ｂ）その一部の拡大平面図である。
【図３】籾摺り部と風選装置の正断面図である。
【図４】籾摺りケースの側断面図である。
【図５】籾摺ロールの駆動軸への取付実施例を示す側断面分解図である。
【発明を実施するための形態】
【００１９】
以下、本発明の実施形態を図面に示す実施例を参照しながら説明する。
【００２０】
籾摺プラントは、二階建て形態として、一階の床８面上には、籾を供給する原籾ホッパ９や、籾揚穀機１０、混合米揚穀機１１、玄米揚穀機１２、揺動選別部１３、及び玄米ホッパ１４等を配置し、二階の床１５面上には、籾摺部１６、及び風選装置１７、更には玄米選別装置１８等を配置する。
【００２１】
前記原籾ホッパ９に投入された籾を、籾揚穀機１０で揚穀して、籾摺部１６上の籾ホッパ１９へ供給し、この籾ホッパ１９から繰出供給される籾を籾摺部１６の籾摺ロール間に供給案内させて籾摺作用を行わせる。この籾摺ロール間から摺出された摺出（混合）米は、下側の風選装置１７に供給されて、吸引排風ファン２０の回転による選別風を受けて、摺出米から籾殻や塵埃等が風選除去されて、この摺出米は、玄米と籾米との混合する混合米と、比重の軽い未熟米等に風選別されて、この風選装置１７の摺出米受樋２１、未熟米受樋２２等から機外へ取出される。
【００２２】
前記摺出米受樋２１に取出された摺出（混合）米は、シュート７０を経て混合米揚穀機１１へ流下案内されて、この混合米揚穀機１１によって混合米ホッパ２４へ揚穀供給される。この混合米ホッパ２４の下側に分配供給口２５から、多段選別部１３の各揺動選別板１毎の上側面に均等量に分配供給される。
【００２３】
前記揺動選別部１３の各揺動選別板１からは、この選別排出辺部２の一側端部の玄米口２６から玄米が選別排出され、他側端部の籾米口２９からは籾米が選別排出され、これら中間部の混合米口２８からは玄米と籾米との混合した混合米として選別排出される。そして、これら玄米口２６から取出された玄米は、玄米揚穀機１２で揚穀されて、玄米選別装置１８へ供給されて選別処理される。又、混合米口２８に取出された混合米は、混合米揚穀機１１へ供給されて、前記シュート７０から流入する摺出混合米と合流して前記混合米ホッパ２４へ還元供給される。又、籾米口２９に取出された籾米は、籾揚穀機１０へ供給されて、籾ホッパ９から供給される原籾と共に合流状態で籾ホッパ１９へ還元供給される。前記選別排出辺部２の落口には、玄米仕切板３０と籾仕切板３１が配置されて、この玄米仕切板３０をギヤドモータ３２の駆動によって回転する制御軸３３に螺合させて、この制御軸３３の正、逆回転によって、玄米仕切板３０を選別排出辺部２を左右方向へ移動させて、玄米と混合米との選別仕切位置を適正に調節することができる。又、この仕切板３０の調節制御は、選別板１の摺出、混合米層の流れる状態を検出する仕切位置センサを設けて、この仕切位置センサの検出によって、ギヤドモータ３２を出力して玄米層の選別仕切位置を制御移動する形態とすることもできる。
【００２４】
図３は、籾摺部１６と風選装置１７の正断面図を示している。
【００２５】
籾摺部１６は、籾摺ケース６０内の左右に一対の籾摺ロール６１，６２を籾摺モータ７９で駆動するように軸支し、籾摺ケース６０の上部に設ける籾ホッパ１９からの籾を籾摺ロール６１，６２の間に受け入れて摺って下方の拡散板７６上に摺出米を供給して、風選装置１７内に拡散させて風選別し、摺出米受樋２１からシュート７０から混合米を、未熟米受樋２２から第二シュート７１を経て粃を、排塵口７３から排塵と籾殻を排出する。拡散板７６は樹脂製で構成され、拡散板支持体３８に着脱可能に取り付けている構成である。籾摺ケース６０の上部受入口には、籾送りロール７４と供給調節シャッタ７５を設け、下部送出し口には、下方に向けて狭めた排出シュート６６，６７を設け、籾摺ロール６１，６２の前面に設けたロール室扉６３を開けて籾摺ロール６１，６２の交換をするようにしている。
【００２６】
排出シュート６６，６７の下端小径部には、駆動手段であるエアシリンダ６５でスライド開閉する送出しシャッタ６４を籾摺ケース６０の側部に設けている。この送出しシャッタ６４は前記のロール室扉６２を開くとエアシリンダ６５を駆動して閉じ動作して、籾摺ロール６１，６２の交換作業中にボルトやナットを落としても送出しシャッタ６４で受けて風選装置１７内に侵入しないようにする。
【００２７】
なお、送出しシャッタ６４は手動でスライドできる構成にしてもよい。その際、送出しシャッタ６４の開操作及び閉操作側は籾摺ケース６０の正面視で左外側が望ましい。
【００２８】
送出しシャッタ６４が移動する場所は籾摺ロール６１,６２の下方と籾摺ロール６１,６２で籾摺りされて落下した摺出米が衝突して風選装置１７に拡散させる拡散板７６の間の空間である摺出米通路を利用して移動させる。これにより、円滑に送出シャッタ６４をスライドすることができる。また、拡散板７６は摩耗するためメンテナンスで拡散板７６を交換する必要がある。この場合に拡散板７６の正面側に設ける点検窓９０を開けて交換するが、このときに、送出しシャッタ６４を閉じた状態で交換を行うことで籾摺ロール６１,６２側が不意に駆動すること等による安全上の不具合を防止できる。
【００２９】
図４は、籾摺ケース６０の側断面図を示し、籾摺ロール６１，６２の駆動軸５９に固着したロール支持アーム５８の外周に固着した円筒ロール５７の筒内にロール室扉６２から吸引ノズル７８を伸ばし、吸入管６８からバキュームフロー７７を通って排出管６９に流れるエアーで吸引ノズル７８の先端から円筒ロール５７内の空気を吸引して、円筒ロール５７内に溜まる塵埃を排出管６９から風選装置１７内に吸引排出する。この吸引排出のタイミングは、メンテナンス時或いは所定時間間隔で行うようにする。
【００３０】
図５は、籾摺ロール６１，６２の駆動軸５９への取付構成を示し、駆動軸５９の六角軸部に外嵌したロール押し８０を駆動軸５９に螺合した調整ナット８１で軸方向スライドするように設け、ロール押し８０のフランジ８０ａに突設したボルト８０ｂを籾摺ロール６１，６２のロール支持アーム５８のボルト穴に差し込んで締付ナット８２を締めて取り付けている。
【００３１】
従って、籾摺ケース６０の側部に設ける調整窓からスパナを差し込んで調整ナット８１を回すと籾摺ロール６１，６２が軸方向にスライドして位置調整が可能になり、締付ナット８２を外すと籾摺ロール６１，６２がロール押し８０から外れて交換可能になる。
【符号の説明】
【００３２】
１３  揺動選別部
１６  籾摺部
１７  風選装置
６０  籾摺ケース
６１  籾摺ロール
６２  籾摺ロール
６３  ロール室扉
６４  送出しシャッタ
６５  開閉駆動手段（エアシリンダ）
６６  排出シュート
６７  排出シュート
７８  吸引ノズル
【図１】
2019181341.tif 000003
【図２】
2019181341.tif 000004
【図３】
2019181341.tif 000005
【図４】
2019181341.tif 000006
【図５】
2019181341.tif 000007